(57)【要約】【課題】防犯性・安定性・安全性・強度・構造の簡潔性・耐久性・低廉性・解錠操作条件の変更容易性に優れた錠装置を提供する。【解決手段】錠体１１と錠受体２１とロック用ネジ軸４１ａ〜４１ｅとを備えている。錠体１１の係止棒１６にはロック用ネジ孔１７ａ〜１７ｅが形成されている。係止穴２７の一部周壁には操作孔２９ａ〜２９ｅが形成されている。係止棒１６と係止穴２７とが嵌り合ったときにロック用ネジ孔１７ａ〜１７ｅと操作孔２９ａ〜２９ｅとが一致する。係止棒１６が係止穴２７に嵌り込んで錠体１１と錠受体２１とが合体しているとき、互いに一致したロック用ネジ孔１７ａ〜１７ｅと操作孔２９ａ〜２９ｅとにわたりロック用ネジ軸４１ａ〜４１ｅが介在する。各ロック用ネジ軸４１ａ〜４１ｅが係止棒１６のロック用ネジ孔１７ａ〜１７ｅ内に納まっているとき、錠体１１の係止棒１６が錠受体２１の係止穴２７から脱出する。【選択図】図２
2005120763.tif 000002
【特許請求の範囲】
【請求項１】
係止棒を有する錠体と係止穴を有する錠受体と複数本のロック用ネジ軸とを備えたものであること、および、錠体の係止棒にはその軸線方向と交差して係止棒を貫通するものであって係止棒の軸線方向沿いに間隔をおいて並ぶ複数のロック用ネジ孔が形成されていること、および、錠受体における係止穴の一部周壁には錠受体の軸線方向と交差して該周壁を貫通するものであって錠受体の軸線方向沿いに間隔をおいて並ぶ複数の操作孔が形成されていること、および、錠体と錠受体との相対関係において係止棒と係止穴とが嵌め合い対偶をなすものであるとともに係止棒と係止穴とが嵌り合ったときに各ロック用ネジ孔と各操作孔とがそれぞれ一対一で一致するものであること、および、錠体とロック用ネジ軸との相対関係において雄ネジたるロック用ネジ軸と雌ネジたるロック用ネジ孔とが対をなすものであるとともにロック用ネジ軸の長さがロック用ネジ孔の長さと同等以下であること、および、錠受体とロック用ネジ軸との相対関係において操作孔の外側端部を除く部分がロック用ネジ軸を受け入れることのできる内径を有しているとともに操作孔の外側端部がロック用ネジ軸の外径よりも小さい内径を有していること、および、施錠のため錠体の係止棒が錠受体の係止穴に嵌り込んでこれらが合体しているとき、それぞれ一対一で一致したロック用ネジ孔と操作孔とにわたりロック用ネジ軸が介在するものであること、および、解錠のため各ロック用ネジ軸が係止棒の各ロック用ネジ孔内にそれぞれ納まっているとき、錠体の係止棒が錠受体の係止穴から脱出するものであることを特徴とする錠装置。
【請求項２】
係止棒を有する錠体と係止穴を有する錠受体と複数本のロック用ネジ軸とを備えたものであること、および、錠体の係止棒にはその軸線方向と交差して係止棒を貫通するものであって係止棒の軸線方向沿いに間隔をおいて並ぶ複数のロック用ネジ孔が形成されていること、および、錠受体における係止穴の一部周壁には錠受体の軸線方向と交差して該周壁を貫通するものであって錠受体の軸線方向沿いに間隔をおいて並ぶ複数の操作孔が形成されており、かつ、錠受体における係止穴の内壁面にはそれぞれの操作孔と対向する複数のロック穴が形成されていること、および、錠体と錠受体との相対関係において係止棒と係止穴とが嵌め合い対偶をなすものであるとともに係止棒と係止穴とが嵌り合ったときに各ロック用ネジ孔と各操作孔とロック穴とがそれぞれ一対一で一致するものであること、および、錠体とロック用ネジ軸との相対関係において雄ネジたるロック用ネジ軸と雌ネジたるロック用ネジ孔とが対をなすものであるとともにロック用ネジ軸の長さがロック用ネジ孔の長さと同等以下であること、および、錠受体とロック用ネジ軸との相対関係において操作孔の外側端部を除く部分がロック用ネジ軸を受け入れることのできる内径を有しているとともに操作孔の外側端部がロック用ネジ軸の外径よりも小さい内径を有しており、かつ、ロック穴がロック用ネジ軸を受け入れることのできる内径を有していること、および、施錠のため錠体の係止棒が錠受体の係止穴に嵌り込んでこれらが合体しているとき、それぞれ一対一で一致したロック用ネジ孔とロック穴とにわたりロック用ネジ軸が介在するものであること、および、解錠のため各ロック用ネジ軸が係止棒の各ロック用ネジ孔内にそれぞれ納まっているとき、錠体の係止棒が錠受体の係止穴から脱出するものであることを特徴とする錠装置。
【請求項３】
各ロック穴の深さが互いに異なる請求項２記載の錠装置。
【発明の詳細な説明】
【技術分野】
【０００１】
本発明は錠前の技術分野に属するもので防犯性・安定性・安全性・構造の簡潔性・耐久性・低廉性・解錠操作条件の変更容易性に優れた錠装置に関する。
【背景技術】
【０００２】
錠前についてはすでに各種のものが提供されている。そのうちで簡易な南京錠などは不正に解錠（開錠）されることが多いため、枢要な箇所の防犯に用いられることが少ない。      
【０００３】
一方で下記の非特許文献１には、ダイヤル錠やダイヤル式のワイヤーロックが開示されている。南京錠の変形タイプであるダイヤル錠は、鍵の代わりにダイヤルで施錠したり解錠したりするもので、数桁の番号を暗証するだけで各人が共用できるから利便性が高い。自転車の防犯など利用されるダイヤル式のワイヤーロックも、数桁の番号をずらせるとか合わせるとかのダイヤル操作でワイヤーをループ状にロックしたりそれを解除したりするだけであるから使い勝手がよい。
【０００４】
ダイヤル錠やダイヤル式のワイヤーロックも含め、従来の錠前についていえることは、部品数が極端に多く構造が複雑なことである。こうした錠前は必然的に材料費が嵩み製造工程も多くなるため製品のコストアップを惹き起こす。それにダイヤルのような可動部品が多い。これら可動部品の損耗によりダイヤルの操作性が円滑でなくなり、故障も起こりがちとなる。それよりも重要な指摘事項は強度面からみた脆弱性である。すなわち強度の乏しい錠前はピッキングなどに遭った場合に簡単に破られる。
【０００５】
上記の対策として錠前を大型化して強度を高めることが考えられる。この大型化で錠前の強度は向上する。しかしながら２０個以上もの部品で構成される錠前を大型化するというときは、製品の設計だけでなく製造設備その他を根本的に改めなければならない。こうした負担がメーカの改善意欲を削ぐ一方、大型錠前のコストアップがユーザの購買意欲を減退させる。
【０００６】
ダイヤル操作で解錠したりする錠前は、また、ダイヤルコード（４桁程度の数）が変更できないため、それが外部に漏れたりしたときに防犯態勢が十分でなくなる。加えてこの種の錠前を建物などの防犯に利用するときは、利用者が変わるごとに新たな錠前との変更を余儀なくされる。これはダイヤルコードの守秘という観点だかで錠前を変更するのであるから不経済である。
【０００７】
そのほか風雨に曝されるような使用とか水中や海中での使用など、過酷な使用条件に耐えるような耐久性までが要求されるとき、金属製の多数部品で精密に組み立てられる従来の錠前は、このような要求を満たすことがほとんど困難である。
【非特許文献１】地球工房・カギ／ダイヤモンド・ビッグ社（東京都港区赤坂３丁目５番２号サンヨー赤坂ビル３Ｆ）／平成１５年１０月４日インターネット検索  ＜ＵＲＬ：http://www.arukikata.co.jp/shop/list/key.html＞
【発明の開示】
【発明が解決しようとする課題】
【０００８】
上記で明らかなとおり、従来の錠前にはつぎのような課題が残されている。その一つは強度が乏しく防犯上の信頼性や安全性に欠けることである。他の一つは部品数が多いことによる構造の複雑さや製品のコストアップである。別の一つは動作の安定性を長く維持するのが困難なことである。さらに他の一つは過酷な条件下での使用に適していないことである。
【０００９】
本発明の目的はこれらの課題を解決して有用で有益な錠装置を提供することである。さらに詳しくは、各種の分野で使用するための錠装置として、防犯性・安定性・安全性・強度・構造の簡潔性・耐久性・低廉性・解錠操作条件の容易変更性など、これらに優れたものを提供することである。
【課題を解決するための手段】
【００１０】
本発明の請求項１に係る錠装置は所期の目的を達成するために下記の課題解決手段を特徴とする。すなわち、この請求項１の錠装置は、係止棒を有する錠体と係止穴を有する錠受体と複数本のロック用ネジ軸とを備えたものであること、および、錠体の係止棒にはその軸線方向と交差して係止棒を貫通するものであって係止棒の軸線方向沿いに間隔をおいて並ぶ複数のロック用ネジ孔が形成されていること、および、錠受体における係止穴の一部周壁には錠受体の軸線方向と交差して該周壁を貫通するものであって錠受体の軸線方向沿いに間隔をおいて並ぶ複数の操作孔が形成されていること、および、錠体と錠受体との相対関係において係止棒と係止穴とが嵌め合い対偶をなすものであるとともに係止棒と係止穴とが嵌り合ったときに各ロック用ネジ孔と各操作孔とがそれぞれ一対一で一致するものであること、および、錠体とロック用ネジ軸との相対関係において雄ネジたるロック用ネジ軸と雌ネジたるロック用ネジ孔とが対をなすものであるとともにロック用ネジ軸の長さがロック用ネジ孔の長さと同等以下であること、および、錠受体とロック用ネジ軸との相対関係において操作孔の外側端部を除く部分がロック用ネジ軸を受け入れることのできる内径を有しているとともに操作孔の外側端部がロック用ネジ軸の外径よりも小さい内径を有していること、および、施錠のため錠体の係止棒が錠受体の係止穴に嵌り込んでこれらが合体しているとき、それぞれ一対一で一致したロック用ネジ孔と操作孔とにわたりロック用ネジ軸が介在するものであること、および、解錠のため各ロック用ネジ軸が係止棒の各ロック用ネジ孔内にそれぞれ納まっているとき、錠体の係止棒が錠受体の係止穴から脱出するものであることを特徴とする。
【００１１】
本発明の請求項２に係る錠装置は所期の目的を達成するために下記の課題解決手段を特徴とする。すなわち、この請求項２の錠装置は、係止棒を有する錠体と係止穴を有する錠受体と複数本のロック用ネジ軸とを備えたものであること、および、錠体の係止棒にはその軸線方向と交差して係止棒を貫通するものであって係止棒の軸線方向沿いに間隔をおいて並ぶ複数のロック用ネジ孔が形成されていること、および、錠受体における係止穴の一部周壁には錠受体の軸線方向と交差して該周壁を貫通するものであって錠受体の軸線方向沿いに間隔をおいて並ぶ複数の操作孔が形成されており、かつ、錠受体における係止穴の内壁面にはそれぞれの操作孔と対向する複数のロック穴が形成されていること、および、錠体と錠受体との相対関係において係止棒と係止穴とが嵌め合い対偶をなすものであるとともに係止棒と係止穴とが嵌り合ったときに各ロック用ネジ孔と各操作孔とロック穴とがそれぞれ一対一で一致するものであること、および、錠体とロック用ネジ軸との相対関係において雄ネジたるロック用ネジ軸と雌ネジたるロック用ネジ孔とが対をなすものであるとともにロック用ネジ軸の長さがロック用ネジ孔の長さと同等以下であること、および、錠受体とロック用ネジ軸との相対関係において操作孔の外側端部を除く部分がロック用ネジ軸を受け入れることのできる内径を有しているとともに操作孔の外側端部がロック用ネジ軸の外径よりも小さい内径を有しており、かつ、ロック穴がロック用ネジ軸を受け入れることのできる内径を有していること、および、施錠のため錠体の係止棒が錠受体の係止穴に嵌り込んでこれらが合体しているとき、それぞれ一対一で一致したロック用ネジ孔とロック穴とにわたりロック用ネジ軸が介在するものであること、および、解錠のため各ロック用ネジ軸が係止棒の各ロック用ネジ孔内にそれぞれ納まっているとき、錠体の係止棒が錠受体の係止穴から脱出するものであることを特徴とする。
【００１２】
本発明の請求項３に係る錠装置は、請求項２記載のものにおいて、各ロック穴の深さが互いに異なることを特徴とする。
【発明の効果】
【００１３】
本発明に係る錠装置は錠体・錠受体・複数本のロック用ネジ軸などで構成されるものであるから部品数が少なく、なかでも係止棒をもつ錠体や係止穴のある錠受体は簡潔にして堅牢な構造であるから強度上の脆性もない。したがってこれらが機械的強度と構造の簡潔性と耐久性と低廉性とを満足させる。もちろん機械的強度に優れるものであれば、物理的に破られることのない安全性も確保できる。また、各構成要素がステンレス金属のごとき不銹性材料からなるときは、水中や海中にあっても長く腐食しない。これは過酷な条件下での長期使用にも耐えるということである。
【００１４】
本発明に係る錠装置において、錠体の係止棒が錠受体の係止穴に嵌り込んでこれらが合体しているときは、それぞれ一対一で一致したロック用ネジ孔と操作孔とにわたりロック用ネジ軸が介在する。これが施錠状態である。施錠状態において係止棒を係止穴から脱出させる力が作用したとしても、ロック用ネジ孔と操作孔とにわたって介在するロック用ネジ軸がこれを阻止するので解錠されない。これは一本でなく複数本のロック用ネジ軸により施錠保持するので施錠状態が強固で安定する。言い換えると、この複数ロックが高度の防犯効果を奏する一つの要因になる。
【００１５】
本発明に係る錠装置において、各ロック用ネジ軸が係止棒の各ロック用ネジ孔内にそれぞれ納まっているときは、錠体の係止棒を錠受体の係止穴から脱出させることができる。これに基づき当該脱出状態にするのが解錠である。施錠状態のものを解錠状態にするためには、各ロック用ネジ軸をそれぞれ所定回数だけ回して各ロック用ネジ孔内に納めなければならないが、その回数は当事者のみが知る。不知の者が思いつくまま回転操作しても上記のような状態に至る確率はゼロに近い。したがって当事者以外の者による解錠（不正解錠）は全くといってよいほどない。言い換えると、当事者以外の者による解錠がきわめて困難なことが高度の防犯効果を奏する他の一つの要因になる。
【発明を実施するための最良の形態】
【００１６】
本発明に係る錠装置の実施形態として添付図面に例示された実施例は発明の目的を達成したり発明の効果を確保したりする上で望ましいものであるが、それらは例示にすぎないものである。したがって本発明に係る錠装置は以下に述べる実施例に限定されるものではない。
【実施例１】
【００１７】
本発明に係る錠装置の実施例１を図１〜図３に基づいて説明する。
【００１８】
図１〜図３において、１１は錠体、２１は錠受体、４１ａ〜４１ｅは複数本のロック用ネジ軸、５１ａ〜５１ｅは調整素子、６１・６２は連結用のピン、７１はチェーン、８１はネジ回し用の工具をそれぞれ示す。
【００１９】
錠体１１は機械的強度の大きい不銹性材料からなる。錠体１１は代表的一例としてステンレススチールのような不銹性金属からなるが、これ以外のものとして合成樹脂（ＦＲＰを含む）、あるいは、金属と合成樹脂との複合料からなることもある。錠体１１は相互に一体形成された基部１２と係止棒１６とを有し、断面円形の係止棒１６が基部１２の先端面から突出している。基部１２には切欠部１３を挟んで向き合う二つの連結片１４・１５がある。係止棒１６にはこれの軸線方向と交差して当該係止棒１６を貫通する複数のロック用ネジ孔１７ａ〜１７ｅが形成されている。各ロック用ネジ孔１７ａ〜１７ｅは係止棒１６の軸線方向に沿って等間隔で並んでいる。
【００２０】
錠受体２１も錠体１１と同様の材料からなる。その代表的一例は不銹性金属（ステンレススチール）である。錠受体２１は相互に一体化された基部２２と筒部２６とを有し、断面異形の筒部２６が基部２２の先端面から突出している。基部２２には切欠部２３を介在して向き合う二つの連結片２４・２５がある。筒部２６の内部は一端が開放された係止穴２７になっており、筒部２６の先端面には回り止め用の凹部２８が形成されている。係止穴２７の一部周壁（筒部２６の一部）には錠受体２１の軸線方向と交差して該周壁を貫通する複数の操作孔２９ａ〜２９ｅが形成されている。各操作孔２９ａ〜２９ｅもロック用ネジ孔１７ａ〜１７ｅと同様のネジ孔からなり、錠受体２１の軸線方向に沿って等間隔で並んでいる。各操作孔２９ａ〜２９ｅについてさらにいうと、各操作孔２９ａ〜２９ｅはその外側端部の孔径が他の部分よりも孔径が小さくなっている。このほか係止穴２７の内壁面にはそれぞれの操作孔２９ａ〜２９ｅと対向する複数のロック穴３０ａ〜３０ｅが形成されている。
【００２１】
その他の構成部品で、ロック用ネジ軸４１ａ〜４１ｅ、調整素子５１ａ〜５１ｅ、連結用ピン６１・６２、チェーン７１なども主として金属製のものが採用される。これらについても合成樹脂（ＦＲＰも含む）で強度的に優れたものがある場合は、その種材質のものを採用して構わない。ロック用ネジ軸４１ａ〜４１ｅはロック用ネジ孔１７ａ〜１７ｅと雄ネジ・雌ネジの関係にあって対をなすものである。ロック用ネジ軸４１ａ〜４１ｅは、また、操作孔２９ａ〜２９ｅやロック穴３０ａ〜３０ｅとも雄ネジ・雌ネジの関係にあって対をなすものである。ロック用ネジ軸４１ａ〜４１ｅの長さはロック用ネジ孔１７ａ〜１７ｅの長さと同等かそれ以下である。ロック用ネジ軸４１ａ〜４１ｅのそれぞれ端面には工具を掛けるために凹んだ工具掛け部４２がある。調整素子５１ａ〜５１ｅも雄ネジとしてはロック用ネジ軸４１ａ〜４１ｅと同じものであるが、これらの長さについて一部または全部が異なる。すなわち調整素子５１ａ〜５１ｅは長さに関して二種類以上で、場合により調整素子５１ａ〜５１ｅの長さがすべて相違している。調整素子５１ａ〜５１ｅのそれぞれ端面にも工具を掛けるために凹んだ工具掛け部５２がある。
【００２２】
各ロック用ネジ軸４１ａ〜４１ｅは使用時の一態様として、係止棒１６の各ロック用ネジ孔１７ａ〜１７ｅ内にねじ込まれてそれらの内部に納まっている。各調整素子５１ａ〜５１ｅは筒部２６のロック穴３０ａ〜３０ｅ内にねじ込まれてそれらの内部に納まっている。チェーン７１の一端部は錠体１１の基部１２にある切欠部１３内に挿入され、かつ、両連結片１４・１５とそのチェーン一端部とを貫通するピン６１を介して錠体１１の基部１２に連結される。チェーン７１の他端部も錠受体２１の基部２２にある切欠部２３内に挿入され、かつ、両連結片２４・２５と該チェーン他端部とを貫通するピン６２を介して錠受体２１の基部２２に連結される。この後、両連結用ピン６１・６２は錠体１１の基部１２や錠受体２１の基部２２に溶接固定される。したがってチェーン７１で繋がれた錠体１１と錠受体２１は分離できない。
【００２３】
ネジ回し用の工具８１はいわば鍵ともいえるもので、これは周知の角形のレンチからなる。ちなみにロック用ネジ軸４１ａ〜４１ｅの工具掛け部４２や調整素子５１ａ〜５１ｅの工具掛け部５２が六角形であるとき、工具８１も六角レンチからなる。この工具８１については既製品（市販品）でよい。
【００２４】
錠体１１と錠受体２１との相対関係において係止棒１６と係止穴２７とは嵌め合い対偶をなし、これらは密に嵌め合うことができるものである。係止棒１６を係止穴２７に嵌め込むときの最終段階で、錠受体２１の筒体２６にある回り止め用の凹部２８に錠体１１の基部１２を合致させると、各ロック用ネジ孔１７ａ〜１７ｅと各操作孔２９ａ〜２９ｅと各ロック穴３０ａ〜３０ｅとがそれぞれ一対一で一致するようになる。これは筒体２６の凹部２８に対して基部１２の先端部が所定の姿勢に保持されているときのみ、凹部２８が基部１２の先端部を受け入れるからである。したがって基部１２の先端部と筒体２６の凹部２８には位置合わせ機能がある。
【００２５】
実施例１の錠装置は図１〜図３を参照してつぎのように使用されるものである。
【００２６】
錠体１１と錠受体２１とが図１のごとく分離している解錠状態のとき、各ロック用ネジ軸４１ａ〜４１ｅは、係止棒１６の各ロック用ネジ孔１７ａ〜１７ｅに完全に納まっている。このような解錠状態の錠体１１であれば係止棒１６を錠受体２１の係止穴２７に嵌め込むことができる。したがって、施錠の際のはじめのステップでは、係止棒１６を係止穴２７に嵌め込んだりその嵌め込みの最終段階で基部１２を凹部２８に合致させたりして錠体１１と錠受体２１とを合体させる。この合体で各ロック用ネジ孔１７ａ〜１７ｅと各操作孔２９ａ〜２９ｅと各ロック穴３０ａ〜３０ｅとが図３のように一対一で一致する。つぎのステップでは工具８１を用いて各ロック用ネジ軸４１ａ〜４１ｅを操作する。具体的にいうと、工具８１をロック用ネジ孔１７ａに差し込んでその先端ロック用ネジ軸４１ａの工具掛け部４２に掛け、ロック用ネジ軸４１ａが調整素子５１ａに衝突するまでこれを回して締め込む。調整素子５１ａに衝突した後のロック用ネジ軸４１ａはロック用ネジ孔１７ａだけでなくロック穴３０ａにも介入している。ロック用ネジ軸４１ｂ〜４１ｅについても同様、それぞれ調整素子５１ｂ〜５１ｅに衝突するまでこれらを回して締め込む。調整素子５１ｂ〜５１ｅに衝突した後の各ロック用ネジ軸４１ｂ〜４１ｅもロック用ネジ孔１７ｂ〜１７ｅとロック穴３０ｂ〜３０ｅとにわたって介在する。かくて施錠が完了したときは図２の状態になる。これについて、ロック用ネジ軸（４１ａ〜４１ｅ）のいずれか一本がこれ用のロック用ネジ孔（１７ａ〜１７ｅ）とロック穴（３０ａ〜３０ｅ）とにわたって介在するだけでも施錠状態になる。緊急施錠とか一時的な簡易施錠に際してはこのような施錠もあり得る。
【００２７】
図２の施錠状態にするときの各ロック用ネジ軸４１ａ〜４１ｅの締め込み回転数について一例をあげるとつぎのおりである。ロック用ネジ軸４１ａは「２．５回転」、ロック用ネジ軸４１ｂは「１．５回転」、ロック用ネジ軸４１ｃは「４．５回転」、ロック用ネジ軸４１ｄは「３．５回転」、ロック用ネジ軸４１ｅは「１．５回転」である。各ロック用ネジ軸４１ａ〜４１ｅの操作回転数（締め込み回転数）は当事者のみが知り、部外者や第三者は分からない。
【００２８】
図２の施錠状態において錠体１１と錠受体２１と分離させる力が作用したとき、すなわち、係止棒１６を係止穴２７から引き抜く力が作用したときは、ロック用ネジ孔１７ａ〜１７ｅとロック穴３０ａ〜３０ｅとにわたって介在する各ロック用ネジ軸４１ａ〜４１ｅが協働してこれを阻止する。したがって錠体１１と錠受体２１とによる施錠状態は、上記のような引き抜き力程度では破れない。
【００２９】
図２の施錠状態については既述のとおり、各ロック用ネジ軸４１ａ〜４１ｅの操作回転数が部外者や第三者に分からない。各ロック用ネジ軸４１ａ〜４１ｅの操作回転数を見破るにしても、これらを一本ずつ繰り返して操作するのでは長期間を要する。それほどまでしても破れないことさえある。これは不正解錠する者にとってリスクが大きく、不正解錠を忌避させたり断念させたりすることに通じるから防犯効果が高い。したがって図２の施錠状態を不正解錠することは現実的にみて困難である。
【００３０】
錠体１１と錠受体２１とによる施錠状態を当事者が解錠するときは、図２の状態にある各ロック用ネジ軸４１ａ〜４１ｅを前記の逆方向へ所定数だけ回せばよい。こうすることで各ロック用ネジ軸４１ａ〜４１ｅが係止棒１６の各ロック用ネジ孔１７ａ〜１７ｅに完全に納まり、図３の状態になるから、あとは係止棒１６を錠受体２１の係止穴２７から抜き取るだけでよい。かくて図１の解錠状態が得られる。
【００３１】
施錠状態において当事者以外の者がロック用ネジ軸４１ａ〜４１ｅの一つ以上を回していたりするときは、解錠のためのネジ軸操作量（逆回転数）に狂いが生じる。ゆえにロック用ネジ軸４１ａ〜４１ｅを上記のように操作しても解錠できない。このようなときは調整素子５１ａ〜５１ｅに衝突するまでロック用ネジ軸４１ａ〜４１ｅを回して元の施錠状態にいったん戻し、それから解錠する。ここでいう所定操作での解錠不可は、誰かが錠装置に触れたということの報知（不正アクセス報知）でもあるから、これのあったときは警戒をより厳重にすればよい。
【００３２】
実施例１の錠装置は上記のようにして施錠したり解錠したりするもので、その構成の主体であるところの錠体１１と錠受体２１はチェーン７１で繋がれている。一例として、これを用いて対象物を繋ぎ止めたり拘束したりするときは、地上に設置された繋留リングと対象物とにわたってチェーン７１を掛け回した後、錠体１１と錠受体２１とを上記のように合体施錠すればよい。他の一例としては、モータボートや小型船舶のスクリュー部に本発明錠装置を巻きつけて錠体１１と錠受体２１とを既述の施錠（ロック）状態にする。この場合は水中や海中で使用することになる。
【００３３】
実施例１の錠装置については、それぞれロック穴３０ａ〜３０ｅに施された各調整素子５１ｂ〜５１ｅの長さ（軸方向の寸法）を変えることで、ロック穴３０ａ〜３０ｅの有効長（軸方向の有効寸法）を変えることができる。すなわちこれは、施錠や解錠における各ロック用ネジ軸４１ａ〜４１ｅの操作回転数が変更できるということである。このような変更を定期的に行えば、部外者にとって解錠操作条件を見破るのがますます困難になる。錠装置の所有者や利用者が変わるときも当該条件変更で対処できるから、新品の錠装置と交換する場合にみられた不経済が発生しない。
【実施例２】
【００３４】
本発明に係る錠装置の実施例２を図４に基づいて説明する。
【００３５】
図４に例示された錠体１１の主体部は基部１２のない係止棒１６からなる。この係止棒１６の表面（周面）にはネジ止め手段などでツマミ１８が取り付けられる。その他の構成に関して錠体１１は実施例１のものと実質的に同じかそれに準ずる。係止棒１６をスライド自在に保持するための保持筒７２は錠体１１や錠受体２１と同じ材料からなり、これは軸線方向に長いガイド溝７３を周壁に有するものである。保持筒７２の外壁面には複数の取付座７４が設けられている。錠体１１の係止棒１６は保持筒７２内に挿入されてその筒の一端部から出し入れ自在なるよう保持される。ツマミ１８については係止棒１６が保持筒７２内に保持されてから取り付けられる。
【００３６】
図４に例示された錠受体２１の主体部も基部２２のない筒部２６からなる。この場合の筒部２６の外壁面には複数の取付座３１が設けられている。その他の構成に関して錠受体２１は実施例１のものと実質的に同じかそれに準ずる。
【００３７】
図４に例示された実施例２の錠装置は、建物などにおける内部の錠前として用いられるものである。具体的には引き分け式の引戸Ｄ１・Ｄ２の内面において、引戸Ｄ１の閉じ合わせ側にあるフレームの内面には錠体１１を保持した保持筒７２がビス止めされるとともに、引戸Ｄ２の閉じ合わせ側にあるフレームの内面に錠受体２１がビス止めされる。この取付状態においては、錠体１１の係止棒１６と錠受体２１の係止穴２７とが同一軸線上で互いに対向するものである。
【００３８】
図４を参照して実施例２の錠装置は、両引戸Ｄ１・Ｄ２を閉じたときに保持筒７２内の係止棒１６をスライド操作により突出させて錠受体２１の係止穴２７に嵌め込むものである。これによって、各ロック用ネジ孔１７ａ〜１７ｅと各操作孔２９ａ〜２９ｅと各ロック穴３０ａ〜３０ｅとがそれぞれ一対一で一致するから、前記のとおり、各ロック用ネジ軸４１ａ〜４１ｅがそれぞれ調整素子５１ａ〜５１ｅに衝突するまでこれらを回して締め込む。各調整素子５１ａ〜５１ｅに衝突したロック用ネジ軸４１ａ〜４１ｅはロック用ネジ孔１７ａ〜４１ｅとロック穴３０ａ〜３０ｅとにわたり介在するから、これも前記のとおり、所定の施錠状態が得られる。この施錠状態を当事者が解錠するときは、各ロック用ネジ軸４１ａ〜４１ｅを所定回数だけ逆に回してこれらを係止棒１６の各ロック用ネジ孔１７ａ〜１７ｅ内に完全に納め、その後、係止棒１６をスライド復帰させてこれを錠受体２１の係止穴２７から脱出させればよい。
【００３９】
本発明に係る錠装置の上記以外の実施例としては、以下に述べるようなものがある。
【００４０】
錠体１１のチェーン７１と錠受体２１のチェーン７１とが別体である実施例では、錠体１１側または錠受体２１側のチェーン７１を繋留場所に固定し、その他方のチェーン７１を移動体（可動体）に取り付けておく。それで移動体を繋留場所に繋ぐときに錠体１１と錠受体２１とを上記のように施錠する。
【００４１】
各ロック用ネジ軸４１ａ〜４１ｅと各ロック用ネジ孔１７ａ〜４１ｅ、および、各操作孔２９ａ〜２９ｅ、ロック穴３０ａ〜３０ｅなどがそれぞれ対をなす雄ネジ・雌ネジからなるときは、一組の「雄ネジ・雌ネジ」を「右ネジ」、他の一組の「雄ネジ・雌ネジ」を「左ネジ」というように、複数組のネジ対について「右ネジ」と「左ネジ」の両方を採用することがある。この場合の一例として、施錠はロック用ネジ軸４１ａ＝右２．５回転、ロック用ネジ軸４１ｂ＝左１．５回転、ロック用ネジ軸４１ｃ＝右４．５回転、ロック用ネジ軸４１ｄ＝左３．５回転、ロック用ネジ軸４１ｅ＝右１．５回転で行え、解錠はそれらの逆回転で行える。このような「右ネジ」と「左ネジ」の組み合わせにおいては、「右ネジ」と「左ネジ」が交互に規則正しく並ぶ必要はなく、たとえば、「左」「左」「右」「左」「右」のように「右ネジ」と「左ネジ」とが不規則に並んでもよい。
【００４２】
省略に関する実施例の一つとして、調整素子５１ａ〜５１ｅを省略することがある。この場合は各ロック穴３０ａ〜３０ｅとして軸方向の寸法が異なるものを錠受体２１の加工段階でつくればよい。各操作孔２９ａ〜２９ｅが各ロック穴３０ａ〜３０ｅをも兼ねる実施例のときは、施錠のとき、ロック用ネジ孔１７ａ〜４１ｅと操作孔２９ａ〜２９ｅとにわたりロック用ネジ軸４１ａ〜４１ｅを介在させる。この場合の操作孔２９ａ〜２９ｅ内には調整素子５１ａ〜５１ｅを介在させたりする。具体的一例としては、雌ネジを外周面に有する筒状の調整素子５１ａ〜５１ｅを各操作孔２９ａ〜２９ｅ内に介在させ、これら操作孔２９ａ〜２９ｅによって深さの異なる複数の凹みを係止穴２７の内壁面につくる。錠体１１の基部１２や錠受体２１の基部２２も省略することがある。このようなものは、たとえば、両引戸Ｄ１・Ｄ２に埋め込んで取り付けたりして使用する。
【００４３】
変更に関する実施例の一つとして、操作孔２９ａ〜２９ｅやロック穴３０ａ〜３０ｅは雌ネジであることを要しないから、ネジ溝のない孔や穴のときもある。係止棒１６については断面円形（断面楕円形も含む）の棒のほか、断面多角形の棒からなるときもある。この場合の係止穴２７は係止棒１６を受け入れるために断面円形（断面楕円形も含む）や断面多角形からなる。ただし、係止棒１６が正方形の棒で係止穴２７が正八角形の穴という対応もあるから、係止棒１６の断面形状と係止穴２７の断面形状とが等しくないこともある。ロック用ネジ孔１７ａ〜４１ｅ・操作孔２９ａ〜２９ｅ・ロック穴３０ａ〜３０ｅ・ロック用ネジ軸４１ａ〜４１ｅ・調整素子５１ａ〜５１ｅなどは、複数という前提であれば、図示の場合よりも増減してよい。チェーン７１についてはワイヤーであっても構わない。
【産業上の利用可能性】
【００４４】
本発明に係る錠装置の特徴は下記(1)〜(9)のとおりである。
(1) 解錠のための初期操作は複数本のロック用ネジ軸を所定数だけ回すだけである。けれども部外者や第三者がこれを解読するのが至難のため防犯性（防犯上の信頼性）がきわめて高い。
(2) 部外者や第三者がロック用ネジ軸を不正操作したことが簡単に判明する。また、それを知ることで防犯上の警戒が怠りなく行える。
(3) 既成の安価な工具がそのまま鍵になるので利便性が高い。紛失対策のため工具を錠装置に付帯させておいても、上記のとおり不正解錠が困難であるから防犯上の心配がない。仮に工具を紛失しても市販品で簡単に補充できる。
(4) 解錠のための操作条件を簡単に変更することができる。それを適宜実施することで防犯効果がより高まる。錠装置の所有者や利用者など操作主体が変わるときもこれで対処でき、新品の錠装置との交換を不要にする。したがって操作主体に変更があったときでも経済性を保つことができる。
(5) 施錠や解錠のための主たる操作はロック用ネジ軸を回すだけである。したがって誤作動や故障の発生する余地がほとんどなく、長期安定性が得られる。
(6) 堅牢な構造で機械的強度が大きいから機械的強度満足させる。
(7) 堅牢な構造であるため物理的に破ることできない安全性がある。
(8) 構造が簡潔で部品数が少ないため、水中や海中でも腐食しがたい高級材質を選定することができる。それで耐久性が高まり、過酷な条件下での長期使用も可能になる。
(9) 部品が少なく構造が簡潔であるから低廉性を満足させる。
【図面の簡単な説明】
【００４５】
【図１】本発明錠装置の一実施例を示した解錠状態の斜視図である。
【図２】本発明錠装置の一実施例を示した施錠状態の断面図である。
【図３】本発明錠装置の一実施例を示した操作途中の断面図である。
【図４】本発明錠装置の他実施例を示した解錠状態の正面図である。
【符号の説明】
【００４６】
１１    錠体
１６    係止棒
１７ａ  ロック用ネジ孔
１７ｂ  ロック用ネジ孔
１７ｃ  ロック用ネジ孔
１７ｄ  ロック用ネジ孔
１７ｅ  ロック用ネジ孔
２１    錠受体
２７    係止穴
２９ａ  操作孔
２９ｂ  操作孔
２９ｃ  操作孔
２９ｄ  操作孔
２９ｅ  操作孔
３０ａ  操作孔
３０ｂ  操作孔
３０ｃ  操作孔
３０ｄ  操作孔
３０ｅ  操作孔
４１ａ  ロック用ネジ軸
４１ｂ  ロック用ネジ軸
４１ｃ  ロック用ネジ軸
４１ｄ  ロック用ネジ軸
４１ｅ  ロック用ネジ軸
５１ａ  調整素子
５１ｂ  調整素子
５１ｃ  調整素子
５１ｄ  調整素子
５１ｅ  調整素子
【図１】
2005120763.tif 000003
【図２】
2005120763.tif 000004
【図３】
2005120763.tif 000005
【図４】
2005120763.tif 000006